(57)【要約】  過大な突入電流を抑制し、素子の破壊及び回路の焼損を防止可能な、三相交流電源１からの交流を直流に変換して負荷１１に供給する直流電源装置１０であって、入力側または出力側にリアクトル３が接続され、三相交流電源１からの交流を整流する整流回路２と、負荷１１への出力端子間に直列接続された第１のコンデンサ６ａ及び第２のコンデンサ６ｂと、第１のコンデンサ６ａ及び第２のコンデンサ６ｂの一方または双方を選択的に充電する充電手段（充電部７）と、充電部７を制御する制御部８と、を備え、制御部８が、第１のコンデンサ６ａ及び第２のコンデンサ６ｂへの充電開始時に、第１のコンデンサ６ａ及び前記第２のコンデンサ６ｂへの充電ピーク電流を充電部７または整流回路２の許容値以下に抑制するようにオンデューティを小さくして、その後定常時のオンデューティに達するまでに予め設定された時間を経過して徐々にオンデューティを大きくする。
2015063869.tif 000002
【特許請求の範囲】
【請求項１】
三相交流電源からの交流を直流に変換して負荷に供給する直流電源装置であって、
入力側または出力側にリアクトルが接続され、前記三相交流電源からの交流を整流する整流回路と、
前記負荷への出力端子間に直列接続された第１のコンデンサ及び第２のコンデンサと、
前記第１のコンデンサ及び前記第２のコンデンサの一方または双方を選択的に充電する充電手段と、
前記充電手段を制御する制御部と、を備え、
前記制御部が、前記第１のコンデンサ及び前記第２のコンデンサへの充電開始時に、前記第１のコンデンサ及び前記第２のコンデンサへの充電ピーク電流を前記充電手段または前記整流回路の許容値以下に抑制するようにオンデューティを小さくして充電電流を抑制し、その後定常時のオンデューティに達するまでに予め設定された時間を経過して徐々にオンデューティが大きくなるように制御することを特徴とする直流電源装置。
【請求項２】
前記充電手段は、
直列接続された第１のスイッチング素子及び第２のスイッチング素子と、
前記第１のコンデンサの充電電荷の前記第１のスイッチング素子への逆流を防止する第１の逆流防止素子と、
前記第２のコンデンサの充電電荷の前記第２のスイッチング素子への逆流を防止する第２の逆流防止素子と、を備え、前記直列接続されたスイッチング素子とコンデンサとの中点間とを接続したことを特徴とする請求項１に記載の直流電源装置。
【請求項３】
前記第１のスイッチング素子、前記第２のスイッチング素子、前記第１の逆流防止素子及び前記第２の逆流防止素子の少なくとも１つがワイドバンドギャップ半導体により形成されていることを特徴とする請求項２に記載の直流電源装置。
【請求項４】
前記ワイドバンドギャップ半導体は、炭化珪素、窒化ガリウム系材料またはダイヤモンドであることを特徴とする請求項３に記載の直流電源装置。
【請求項５】
前記第１のスイッチング素子と前記第２のスイッチング素子の中点間と、前記第１のコンデンサと前記第２のコンデンサの中点間とに挿入された開閉手段と、
を備えることを特徴とする請求項２から請求項４のいずれか一項に記載の直流電源装置。
【請求項６】
電源電圧検出手段をさらに備え、
前記制御部は動作モードを制御し、
前記動作モードは、
前記第１のスイッチング素子及び前記第２のスイッチング素子を常時オフとする全波整流モードと、
前記第１のスイッチング素子及び前記第２のスイッチング素子を充電周波数で交互にオンする昇圧モードと、を有し、
前記昇圧モードでは、前記第１のスイッチング素子及び前記第２のスイッチング素子のオンデューティを変化させることで出力電圧を制御することを特徴とする請求項５に記載の直流電源装置。
【請求項７】
前記制御部は、
前記全波整流モードと前記昇圧モードの切り替え時にはオンデューティを小さくし、
その後前記第１のスイッチング素子及び前記第２のスイッチング素子のオン時間を徐々に変化させて、前記昇圧モードに移行するように制御することを特徴とする請求項６に記載の直流電源装置。
【請求項８】
前記全波整流モードと、前記第１のスイッチング素子及び前記第２のスイッチング素子の双方が同時にオンしている期間を有する動作モードと、を繰り返すことで前記リアクトルにエネルギーを蓄積して出力電圧を上昇させ、
前記出力電圧がしきい値以上となった後に前記昇圧モードに移行することを特徴とする請求項６に記載の直流電源装置。
【請求項９】
前記第１のスイッチング素子及び第２のスイッチング素子が逆並列の還流ダイオードを備えることを特徴とする請求項６に記載の直流電源装置。
【請求項１０】
前記制御部は、前記第１のスイッチング素子及び前記第２のスイッチング素子に流入する電流または前記リアクトルに流入する電流が設定しきい値を超えると、前記第１のスイッチング素子及び前記第２のスイッチング素子へのスイッチング信号の出力を停止し、前記保護リレーを開放する信号を出力することを特徴とする請求項６に記載の直流電源装置。
【請求項１１】
前記負荷の状態を検出する負荷状態検出手段を備え、
前記制御部は、前記負荷状態検出手段にて検出して出力した信号の検出値が設定しきい値を超えると、前記第１のスイッチング素子及び前記第２のスイッチング素子へのスイッチング信号出力を停止し、前記保護リレーを開放する信号を出力することを特徴とする請求項６に記載の直流電源装置。
【請求項１２】
直列接続された前記第１のコンデンサ及び前記第２のコンデンサの電圧と等しい前記負荷への出力電圧を検出する出力電圧検出手段と、
前記第１のコンデンサ及び前記第２のコンデンサの一方の電圧を検出するコンデンサ電圧検出手段と、を備え、
前記制御部は、前記出力電圧検出手段の検出値と前記コンデンサ電圧検出手段の検出値の差分から前記第１のコンデンサ及び前記第２のコンデンサの他方の電圧を算出することを特徴とする請求項６に記載の直流電源装置。
【請求項１３】
請求項１から請求項１２のいずれか一項に記載の直流電源装置を備えることを特徴とする冷凍サイクル機器。
【請求項１４】
前記負荷が圧縮機モータを駆動するインバータ部を備えることを特徴とする請求項１３に記載の冷凍サイクル機器。
【発明の詳細な説明】
【技術分野】
【０００１】
本発明は、直流電源装置及び該直流電源装置を備える冷凍サイクル機器に関する。
【背景技術】
【０００２】
従来、空気調和機、ヒートポンプ給湯機、冷蔵庫及び冷凍機に用いられる圧縮機モータを駆動するインバータを負荷とし、該負荷に接続され、交流を直流に変換する直流電源装置が知られている。例えば、特許文献１には、単相交流を直流に変換し、簡易な構成で出力電圧を昇圧することが可能な直流電源装置が開示されている。
【先行技術文献】
【特許文献】
【０００３】
【特許文献１】特開２０００−２７８９５５号公報
【発明の概要】
【発明が解決しようとする課題】
【０００４】
しかしながら、上記従来の技術によれば、スイッチング動作開始時にコンデンサへの過大な突入電流が発生してもこれを防止することができない。そのため、電源装置内の素子が破壊され、回路が焼損することがある、という問題があった。【０００５】
本発明は、上記に鑑みてなされたものであって、スイッチング動作開始時に発生する過大な突入電流を抑制することができ、素子の破壊及び回路の焼損を防止可能な直流電源装置を得ることを目的とする。
【課題を解決するための手段】
【０００６】
上述した課題を解決し、目的を達成するために、本発明は、三相交流電源からの交流を直流に変換して負荷に供給する直流電源装置であって、入力側または出力側にリアクトルが接続され、前記三相交流電源からの交流を整流する整流回路と、前記負荷への出力端子間に直列接続された第１のコンデンサ及び第２のコンデンサと、前記第１のコンデンサ及び前記第２のコンデンサの一方または双方を選択的に充電する充電手段と、前記充電手段を制御する制御部と、を備え、前記制御部が、前記第１のコンデンサ及び前記第２のコンデンサへの充電開始時に、前記第１のコンデンサ及び前記第２のコンデンサへの充電ピーク電流を前記充電手段または前記整流回路の許容値以下に抑制するようにオンデューティを小さくして充電電流を抑制し、その後定常時のオンデューティに達するまでに予め設定された時間を経過して徐々にオンデューティが大きくなるように制御することを特徴とする。
【発明の効果】
【０００７】
本発明によれば、スイッチング動作開始時に発生する過大な突入電流を抑制することができ、素子の破壊及び回路の焼損を防止可能な直流電源装置を得ることができる、という効果を奏する。
【図面の簡単な説明】
【０００８】
【図１】図１は、実施の形態１にかかる直流電源装置の一構成例を示す図である。
【図２】図２は、実施の形態１にかかる直流電源装置において、第１のスイッチング素子及び第２のスイッチング素子のスイッチング制御と充電されるコンデンサの対応関係を示す図である。
【図３】図３は、実施の形態１にかかる直流電源装置の動作モードを示す図である。
【図４】図４は、実施の形態１にかかる直流電源装置におけるスイッチングパターンと、コンバータ出力直流電圧と、三相交流の各相電流のシミュレーション波形の一例と、を示す実施例の図である。
【図５】図５は、従来の直流電源装置におけるスイッチングパターンと、コンバータ出力直流電圧と、三相交流の各相電流のシミュレーション波形の一例と、を示す比較例の図である。
【図６】図６は、実施の形態１にかかる直流電源装置の制御部が生成する充電動作開始時と定常時のスイッチング信号を示す図である。
【図７】図７は、実施の形態１にかかる直流電源装置の制御部が行うスイッチング信号生成方法の一例を示す図である。
【図８】図８は、実施の形態２にかかる直流電源装置の制御部が行う一制御例を示す図である。
【図９】図９は、実施の形態３にかかる直流電源装置の一構成例を示す図である。
【図１０】図１０は、実施の形態４にかかる冷凍サイクル機器の一構成例を示す図である。
【発明を実施するための形態】
【０００９】
以下に、本発明にかかる直流電源装置及び該直流電源装置を備える冷凍サイクル機器の実施の形態を図面に基づいて詳細に説明する。なお、この実施の形態によりこの発明が限定されるものではない。
【００１０】
実施の形態１．
図１は、本発明にかかる直流電源装置の実施の形態１の一構成例を示す図である。図１に示す直流電源装置１０は、三相交流電源１から供給される三相交流を直流に変換して負荷１１に供給する。なお、負荷１１としては、冷凍サイクル機器に用いられる圧縮機モータを駆動するインバータ負荷を例示することができる。
【００１１】
直流電源装置１０は、三相交流を整流する整流回路２と、整流回路２の出力側に接続されたリアクトル３と、負荷１１への出力端子間に直列接続された第１のコンデンサ６ａ及び第２のコンデンサ６ｂと、第１のコンデンサ６ａ及び第２のコンデンサ６ｂを選択的に充電する充電部７と、充電部７を制御する制御部８と、三相交流の電圧を検出する電源電圧検出部９と、を備える。なお、電源電圧検出部９は、三相交流電源１から供給される三相交流のうちの二相（ｒ相、ｓ相）の線間電圧を検出している。なお、図１には、説明の便宜上、端子１２ａ〜１２ｄを示す。
【００１２】
整流回路２は、６つの整流ダイオードがフルブリッジ接続された三相全波整流回路である。
【００１３】
図１では、リアクトル３は直流リアクトルであるが、リアクトル３が整流回路２の入力側に配置された交流リアクトルであってもよい。
【００１４】
充電部７は、第１のスイッチング素子４ａと、第２のスイッチング素子４ｂと、第１の逆流防止素子５ａと、第２の逆流防止素子５ｂと、を備える。
【００１５】
第１のスイッチング素子４ａは、第２のコンデンサ６ｂの充電を制御する。第２のスイッチング素子４ｂは、第１のコンデンサ６ａの充電を制御する。第１のスイッチング素子４ａと第２のスイッチング素子４ｂとしては、パワートランジスタ、パワーＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｍｉｓｓｉｏｎ  Ｔｒａｎｓｉｓｔｏｒ）及びＩＧＢＴ（Ｉｎｓｕｌａｔｅｄ  Ｇａｔｅ  Ｂｉｐｏｌａｒ  Ｔｒａｎｓｉｓｔｏｒ）を例示することができる。
【００１６】
第１の逆流防止素子５ａは、第１のスイッチング素子４ａのコレクタから第１のコンデンサ６ａと負荷１１の接続点に向かって順方向に接続されており、第１のコンデンサ６ａに充電された電荷の第１のスイッチング素子４ａへの逆流を防止する。第２の逆流防止素子５ｂは、第２のコンデンサ６ｂと負荷１１の接続点から第２のスイッチング素子４ｂのエミッタに向かって順方向に接続されており、第２のコンデンサ６ｂに充電された電荷の第２のスイッチング素子４ｂへの逆流を防止する。
【００１７】
第１のコンデンサ６ａと第２のコンデンサ６ｂは容量を等しくし、直列接続された第１のコンデンサ６ａと第２のコンデンサ６ｂの間は、直列接続された第１のスイッチング素子４ａと第２のスイッチング素子４ｂの間に接続されている。
【００１８】
制御部８は、第１のスイッチング素子４ａ及び第２のスイッチング素子４ｂのオンオフを制御することで、負荷１１に供給する直流電圧を制御する。制御部８が行うスイッチング制御について、図２を参照して以下に説明する。
【００１９】
図２は、本実施の形態の直流電源装置において、第１のスイッチング素子４ａ及び第２のスイッチング素子４ｂのスイッチング制御と充電されるコンデンサ（状態）の対応関係を示す図である。
【００２０】
第１のスイッチング素子４ａ及び第２のスイッチング素子４ｂの双方がオフすると、第１のコンデンサ６ａ及び第２のコンデンサ６ｂの双方が充電される（図２（Ａ））。
【００２１】
第１のスイッチング素子４ａをオンし、第２のスイッチング素子４ｂをオフすると、第２のコンデンサ６ｂのみが充電される（図２（Ｂ））。
【００２２】
第１のスイッチング素子４ａをオフし、第２のスイッチング素子４ｂをオンすると、第１のコンデンサ６ａのみが充電される（図２（Ｃ））。
【００２３】
第１のスイッチング素子４ａ及び第２のスイッチング素子４ｂの双方がオンすると、第１のスイッチング素子４ａ及び第２のスイッチング素子４ｂが短絡するため、第１のコンデンサ６ａ及び第２のコンデンサ６ｂのいずれも充電されない（図２（Ｄ））。
【００２４】
すなわち、第１のスイッチング素子４ａがオンしていると、第２のコンデンサ６ｂが充電され、第２のスイッチング素子４ｂがオンしていると、第１のコンデンサ６ａが充電される。このように、第１のスイッチング素子４ａ及び第２のスイッチング素子４ｂのオンオフを切り替えることにより、充電されるコンデンサを選択することができる。また、以下に説明するように、負荷１１に供給する直流電圧を制御することができる。
【００２５】
図３は、本実施の形態にかかる直流電源装置１０の動作モードを示す図である。直流電源装置１０の動作モードとしては、第１のスイッチング素子４ａ及び第２のスイッチング素子４ｂを常時オフする全波整流モード（図３（Ａ））と、第１のスイッチング素子４ａ及び第２のスイッチング素子４ｂを交互にオンする昇圧モード（図３（Ｂ−ａ）〜（Ｂ−ｃ））と、を挙げることができる。
【００２６】
そして、昇圧モードとしては、図３（Ｂ−ａ）に示す第１のスイッチング素子４ａ及び第２のスイッチング素子４ｂのオンデューティが５０％の昇圧モードａ（倍電圧モード）と、図３（Ｂ−ｂ）に示す第１のスイッチング素子４ａ及び第２のスイッチング素子４ｂのオンデューティが５０％未満の昇圧モードｂと、図３（Ｂ−ｃ）に示す第１のスイッチング素子４ａ及び第２のスイッチング素子４ｂのオンデューティが５０％よりも大きい昇圧モードｃと、を挙げることができる。
【００２７】
図３（Ａ）に示す全波整流モードでは、第１のスイッチング素子４ａ及び第２のスイッチング素子４ｂの双方を常時オフし、整流回路２により全波整流された電圧が出力電圧となる。この出力電圧をＶ０とする。
【００２８】
図３（Ｂ−ａ）に示す昇圧モードａ（倍電圧モード）では、第１のスイッチング素子４ａがオンするタイミングと第２のスイッチング素子４ｂがオフするタイミングは理想的には同時であり、第１のスイッチング素子４ａがオフするタイミングと第２のスイッチング素子４ｂがオンするタイミングは理想的には同時であり、図２（Ｂ）の状態と図２（Ｃ）の状態が繰り返されることになる。このときの出力電圧は、図３（Ａ）に示す全波整流モードにおける出力電圧の２倍となる。すなわち、このときの出力電圧は２Ｖ０である。なお、第１のスイッチング素子４ａと第２のスイッチング素子４ｂの同時短絡を防止する短絡防止時間（一般的にはデッドタイムと称す）を設けても良く、前記の通り、デッドタイムの有無に関わらず本実施の形態では理想的には同時のタイミングとする。
【００２９】
図３（Ｂ−ｂ）に示す昇圧モードｂでは、第１のスイッチング素子４ａ及び第２のスイッチング素子４ｂの双方が同時にオフする「同時オフ期間」が存在する。図３（Ｂ−ｂ）に示す昇圧モードｂにおける動作を図２の符号で表すと、（Ｂ）から（Ａ）へ、（Ａ）から（Ｃ）へ、（Ｃ）から（Ａ）へ、（Ａ）から（Ｂ）への遷移を周期的に繰り返すことになる。このときの出力電圧は、図３（Ａ）に示す全波整流モードにおける出力電圧Ｖ０と、図３（Ｂ−ａ）に示す昇圧モードａ（倍電圧モード）における出力電圧２Ｖ０との間の電圧値となる。
【００３０】
図３（Ｂ−ｃ）に示す昇圧モードｃでは、第１のスイッチング素子４ａ及び第２のスイッチング素子４ｂの双方が同時にオンする「同時オン期間」が存在する。図３（Ｂ−ｃ）に示す昇圧モードｃにおける動作を図２の符号で表すと、（Ｂ）から（Ｄ）へ、（Ｄ）から（Ｃ）へ、（Ｃ）から（Ｄ）へ、（Ｄ）から（Ｂ）への遷移を周期的に繰り返すことになる。（Ｄ）の状態、すなわち、「同時オン期間」には、リアクトル３にエネルギーが蓄積される。このときの出力電圧は、図３（Ｂ−ａ）に示す昇圧モードａ（倍電圧モード）における出力電圧２Ｖ０より大きい。
【００３１】
このように第１のスイッチング素子４ａ及び第２のスイッチング素子４ｂのオンデューティを変化させることで、負荷１１への出力電圧（直流電圧）を制御することができる。
【００３２】
次に、直流電源装置１０の初期充電モードにおける第１のコンデンサ６ａ及び第２のコンデンサ６ｂの充電周波数について、図４〜７を参照して説明する。なお、「充電周波数」は、充電周期の逆数の「スイッチング周波数」であり、「充電周期」は、第１のコンデンサ６ａ及び第２のコンデンサ６ｂの１組の充電期間と非充電期間を組み合わせた期間、すなわち、第１のスイッチング素子４ａと第２のスイッチング素子４ｂの１組のオン期間とオフ期間を組み合わせた期間を１周期とする。
【００３３】
なお、以下の説明において、第１のコンデンサ６ａまたは第２のコンデンサ６ｂを主体とする場合には「充電周波数」を用い、第１のスイッチング素子４ａと第２のスイッチング素子４ｂを主体とする場合には「スイッチング周波数」を用いる。
【００３４】
まず、図５は、従来の直流電源装置（充電動作開始時において、定常時と同様のデューティ比５０％で直流電源装置１０の駆動を開始する直流電源装置）におけるスイッチングパターンと、コンバータ出力直流電圧（以下、母線電圧と呼ぶ。）のシミュレーション波形の一例と、三相交流の各相電流のシミュレーション波形の一例と、を示す比較例の図である。図５（ａ）はコンバータ回路の出力電圧のシミュレーション波形を示し、図５（ｂ）は三相交流のｒ相、ｓ相、ｔ相の電流波形のシミュレーション波形を示す。図５（ｃ）は第１のスイッチング素子４ａのスイッチングパターンを示し、図５（ｄ）は第２のスイッチング素子４ｂのスイッチングパターンを示す。
【００３５】
なお、図５（ｂ）において、ｒ相の電流波形は太線で示し、ｓ相の電流波形は点線で示し、ｔ相の電流波形は細い実線で示す。
【００３６】
このようにデューティ比５０％で第１のスイッチング素子４ａ及び第２のスイッチング素子４ｂをスイッチングすると、スイッチング動作開始時（Ｔｉｍｅ＝２．０秒）に、過大な突入電流が各相の電流波形に現れる。この現象は、デューティ比５０％の場合にのみ生じるものではなく、オン時間が長い場合には生じるものである。なお、過大な突入電流とは、例えば定常時の相電流の２倍を超えるものである。
【００３７】
上記比較例と対比する本発明の実施例を図４に示す。図４は、本発明を適用して直流電源装置１０におけるスイッチングパターンと、コンバータ出力直流電圧のシミュレーション波形の一例と、三相交流の各相電流のシミュレーション波形の一例と、を示す実施例の図である。図４（ａ）は母線電圧のシミュレーション波形の一例を示し、図４（ｂ）は三相交流の各相（ｒ相、s相、t相）の電流のシミュレーション波形の一例を示し、図４（ｃ）は第１のスイッチング素子４ａのスイッチングパターンを示し、図４（ｄ）は第２のスイッチング素子４ｂのスイッチングパターンを示す。なお、図４（ａ）と図５（ａ）、図４（ｂ）と図５（ｂ）では縦軸のスケールが異なることを注記する。
【００３８】
ここで、図４においては、充電動作開始時に、初期過渡充電電流（突入電流）の変化が小さくなるように、オンデューティを十分小さい値に設定する。すなわち、オンデューティは、コンデンサ容量から計算して突入電流を抑制可能な変化量となるように十分小さい値とする。オンデューティを十分小さい値に設定し、オンデューティの変化を小さくすることで、図４（ｂ）に示すように、各相電流の電流波形が歪まず、且つ過大な電流が発生しないよう制御することができる。
【００３９】
図５に示すように、従来は、単相交流または三相交流を入力とし、整流回路を４つの整流ダイオードがフルブリッジ接続された単相または三相全波整流回路とする場合には、第１のコンデンサ６ａと第２のコンデンサ６ｂの不平衡や力率改善、及び母線電圧の昇圧効果から、定常時にはデューティ比５０％でスイッチング制御を行っており、充電開始時に特段の制御を行っていなかった。
【００４０】
これに対し、本実施の形態では、第１のコンデンサ６ａ及び第２のコンデンサ６ｂの充電開始時に、制御部８がオンデューティを小さくするように制御してスイッチング動作を行っている。
【００４１】
ここで、本実施の形態における充電動作開始時と定常時のスイッチング信号を示し、両者のオンデューティの違いについて説明する。
【００４２】
図６は、制御部８が生成する充電動作開始時と定常時のスイッチング信号を示す図である。図６において、充電動作開始時にはオンデューティが小さく、且つその後のオンデューティの変化を徐々に大きくなるように制御し、その後定常時にはオンデューティ５０％となるまで、または所望の母線電圧を出力可能になるまで上昇させている。このように、オンデューティの変化を徐々に大きくなるように制御することで、充電動作開始後に生じる突入電流を抑制することができる。なお、第１のスイッチング素子４ａと第２のスイッチング素子４ｂのスイッチング動作停止前にオンデューティを徐々に小さくしてオンデューティを０％となるようにオンデューティを変化させるように構成しても良い。
【００４３】
なお、図３の昇圧モードａ〜ｃのいずれの昇圧モードであっても、充電動作開始時に、オンデューティを小さくし、その後のオンデューティの変化を徐々に大きくなるように制御することで過大な突入電流を抑制可能となる。
【００４４】
上記説明したように、充電動作開始時においては、第１のコンデンサ６ａと第２のコンデンサ６ｂの充電時間、つまり、第１のスイッチング素子４ａと第２のスイッチング素子４ｂのオンデューティは小さい値に設定され、その後のオンデューティの変化を徐々に大きくなるように制御される。
【００４５】
また、上記の説明は昇圧モードａ（Ｂ−ａ）に関するものであるが、昇圧モードｂ（図３（Ｂ−ｂ））及び昇圧モードｃ（図３（Ｂ−ｃ））においても同様に、充電動作開始時にオンデューティを小さく設定し、且つその後のオンデューティの変化が小さくなるように制御することで、過大な突入電流を抑制することができる。過大な突入電流を抑制すると、力率の改善及び高調波電流の抑制が可能となる。
【００４６】
なお、図１に示す直流電源装置１０は、三相交流の電圧を検出する電源電圧検出部９を備える。そのため、制御部８は、電源電圧検出部９の検出結果から得た三相交流の検出電圧値を参照してこれに応じて、昇圧モードにおける第１のスイッチング素子４ａ及び第２のスイッチング素子４ｂのオンデューティを変化させるように制御することが可能である。
【００４７】
なお、図１においては、三相交流のｒ−ｓ相間の線間電圧を検出する構成としているが、本発明はこれに限定されず、ｓ−ｔ相間またはｔ−ｒ相間の線間電圧を検出する構成としてもよいし、三相全ての電圧を検出する構成であってもよいし、線間電圧ではなく相電圧を検出するように構成してもよいことはいうまでもない。
【００４８】
ところで、図６に示すように充電動作開始時から定常時まで、オン時間を徐々に大きくし、定常時のオンデューティに達するように制御されている。このように、例えば、全波整流モードと昇圧モードの切り替え時にはオンデューティを小さくし、その後オン時間を徐々に変化させて、前記昇圧モードに移行するように制御する。このような信号を生成する方法の一例について以下に説明する。
【００４９】
図７は、制御部８が行うスイッチング信号生成方法の一例を示す図である。図７において、横軸は時間を示し、縦軸は電圧を示す。
【００５０】
図７に示されるスイッチング信号生成手法は、ＰＷＭ（Ｐｕｌｓｅ  Ｗｉｄｔｈ  Ｍｏｄｕｌａｔｉｏｎ）方式である。具体的には、電圧指令信号の信号波Ｖｕｐ＊，Ｖｕｎ＊と、母線電圧の半値（Ｖｄｃ／２）とする所定周波数のキャリア信号（搬送波）と、を比較し、これらの大小関係によりスイッチング信号Ｕｐ，Ｕｎを生成する。
【００５１】
図７では、キャリア信号と電圧指令信号Ｖｕｐ＊の電圧値を比較して、キャリア信号の電圧値が電圧指令信号Ｖｕｐ＊の電圧値よりも大きいときにはスイッチング信号Ｕｐにより、第１のスイッチング素子４ａはオンする。また、キャリア信号と電圧指令信号Ｖｕｎ＊の電圧値を比較して、キャリア信号の電圧値が電圧指令信号Ｖｕｎ＊の電圧値よりも小さいときにはスイッチング信号Ｕｎにより、第２のスイッチング素子４ｂはオンする。
【００５２】
そして、図７に示すように、キャリア信号の周波数が一定であり、且つ電圧指令信号Ｖｕｐ＊，Ｖｕｎ＊の電圧値が時間に比例して減少していくと、オンデューティは一定の割合で増加していく。このようにして、デューティ比５０％になるまでこの電圧指令信号の信号波Ｖｕｐ＊，Ｖｕｎ＊を徐々に変化させてオンデューティの変化を小さくすることで、過大な突入電流を抑制することができる。
【００５３】
なお、電圧指令信号Ｖｕｐ＊，Ｖｕｎ＊の電圧値を徐々に変化させて充電開始後のオンデューティの変化を徐々に大きくなるように制御するためには、電圧指令信号の信号波Ｖｕｐ＊，Ｖｕｎ＊の電圧値の減少の度合い、すなわち、図７に示す電圧指令信号の信号波Ｖｕｐ＊，Ｖｕｎ＊の傾きの絶対値を小さくすべきである。例えば、図７は、オンデューティの変化を小さくした形態の一例であり、搬送波と電圧指令信号の信号波により形成される三角形によれば、スイッチング素子４ａの最初のオン時間をｔとすると、２回目のオン時間は３ｔであり、３回目のオン時間は５ｔであり、４回目のオン時間は７ｔである。同様に、スイッチング素子４ｂの最初のオン時間をＴとすると、２回目のオン時間は２Ｔであり、３回目のオン時間は３Ｔであり、４回目のオン時間は４Ｔである。
【００５４】
このようにして各相電流の不平衡を生じさせないことで、各相電流の歪み率を極小値とし、力率の改善や高調波電流の抑制が可能となる。
【００５５】
以上説明したように、本実施の形態の直流電源装置１０は、三相交流電源１からの交流を直流に変換して負荷１１に供給する直流電源装置１０であって、入力側または出力側にリアクトル３が接続され、前記三相交流電源１からの交流を整流する整流回路２と、前記負荷１１への出力端子間に直列接続された第１のコンデンサ６ａ及び第２のコンデンサ６ｂと、前記第１のコンデンサ６ａ及び前記第２のコンデンサ６ｂの一方または双方を選択的に充電する充電手段（充電部７）と、前記充電手段（充電部７）を制御する制御部８と、を備え、制御部８は、第１のコンデンサ６ａ及び第２のコンデンサ６ｂへの充電開始時に充電電流を抑制するように充電部７を制御する。具体的には、制御部８は、第１のコンデンサ６ａ及び第２のコンデンサ６ｂへの充電開始時に、第１のコンデンサ６ａ及び前記第２のコンデンサ６ｂへの充電ピーク電流を前記充電手段または前記整流回路の許容値以下に抑制するように第１のコンデンサ６ａ及び第２のコンデンサ６ｂの１回の充電期間と１回の非充電期間からなる一周期内のオン時間を短く（オンデューティを小さく）して充電電流を抑制し、その後定常時のオンデューティに達するまでに予め設定された時間を経過して徐々にオン時間が長く（オンデューティを大きく）なるように制御する。そのため、三相交流の各相電流に過大な突入電流が発生しない。このようにして、素子の破損及び回路の焼損を防止することができ、各相電流に不平衡を生じず、各相電流の歪み率を極小値とし、力率を改善し、高調波電流を抑制することができる。
【００５６】
充電部７は、具体的には、第１のコンデンサ６ａの充電を制御する第２のスイッチング素子４ｂと、第１のコンデンサ６ａの充電を制御する第２のスイッチング素子４ｂと、第１のコンデンサ６ａの充電電荷の第１のスイッチング素子４ａへの逆流を防止する第１の逆流防止素子５ａと、第２のコンデンサ６ｂの充電電荷の第２のスイッチング素子４ｂへの逆流を防止する第２の逆流防止素子５ｂと、を備える。第１のスイッチング素子４ａと第２のスイッチング素子４ｂは交互にオンされる。
【００５７】
また、制御部８は直流電源装置１０の動作モードを制御し、この動作モードは、第１のスイッチング素子４ａ及び第２のスイッチング素子４ｂを常時オフとする全波整流モードと、第１のスイッチング素子４ａ及び第２のスイッチング素子４ｂを充電周波数で交互にオンする昇圧モードと、を有し、昇圧モードでは、電源電圧検出部９の検出結果から得た三相交流の検出電圧値に応じて第１のスイッチング素子４ａ及び第２のスイッチング素子４ｂのオンデューティを変化させることで所望の出力電圧を出力することが可能となるように制御する。
【００５８】
以上説明したように、本実施の形態によれば、スイッチング動作開始時に発生する過大な電流を検知して過大な突入電流を抑制することができ、素子の破壊及び回路の焼損を防止可能な直流電源装置を得ることができる。
【００５９】
実施の形態２．
図８は、本発明にかかる直流電源装置の制御部が行う実施の形態２の一制御例を示す図である。なお、実施の形態１と同一または同等の構成部には同一の符号を付し、その詳細な説明は省略する。
【００６０】
本実施の形態では、第１のコンデンサ６ａと第２のコンデンサ６ｂへ流入する過大な突入電流を抑制することを目的に、予備充電動作として図２（Ａ）の状態と図２（Ｄ）の状態を交互に繰り返すことでリアクトル３にエネルギーを蓄積する。これを予備充電動作と呼ぶ。このように予備充電動作を繰り返すと、図８に示すように、リアクトル３に蓄えられたエネルギーにより出力電圧が上昇する。そして、出力電圧がしきい値以上となった後に昇圧モードに移行する。
【００６１】
第１のコンデンサ６ａ及び第２のコンデンサ６ｂの両端電圧（電位の総和）は全波整流モード時にはＶ０であり、換言すると、第１のコンデンサ６ａの両端電圧がＶ０／２であり、第２のコンデンサ６ｂの両端電圧がＶ０／２である。ここで、全波整流モードから倍電圧モード（昇圧モード）への切り替え時に、第１のコンデンサ６ａと第２のコンデンサ６ｂの両端電圧は互いにＶ０／２より上昇することになる。従って、全波整流モードから倍電圧モード（昇圧モード）への切り替え時に発生する突入電流は、倍電圧モード（昇圧モード）時に目標とする出力電圧と第１のコンデンサ６ａ及び第２のコンデンサ６ｂの両端電圧と、の間に電位差が生じていることが原因で発生する。そのため、図８に示すように、図２（Ｄ）の電源短絡状態を利用し、電源から短絡電流を引き出して充電電流より小さいピーク電流に抑制して第１のコンデンサ６ａと第２のコンデンサ６ｂを充電する予備充電動作を行い、電位差を解消することで定常状態に移行した後の突入電流を抑制する。
【００６２】
実施の形態３．
図９は、本発明にかかる直流電源装置の実施の形態３の一構成例を示す図である。なお、実施の形態１，２と同一または同等の構成には同一の符号を付して、その詳細な説明は省略する。
【００６３】
図９に示す直流電源装置１０ａは、図１の直流電源装置１０に、負荷１１の状態を検出する負荷状態検出部２０と、リアクトル３に流入する電流を検出する電流センサ１４と、第１のスイッチング素子４ａに流れる電流を検出する電流センサ１５ａと、第２のスイッチング素子４ｂに流れる電流を検出する電流センサ１５ｂと、第１のスイッチング素子４ａと第２のスイッチング素子４ｂとの接続点から第１のコンデンサ６ａと第２のコンデンサ６ｂとの接続点の間に挿入された保護リレー１８（開閉手段）と、負荷状態検出部２０と、を加えた構成である。
【００６４】
負荷状態検出部２０は、負荷１１への出力電流を検出する出力電流検出部２１と、負荷１１への出力電圧を検出する出力電圧検出部２２と、第２のコンデンサ６ｂの電圧を検出するコンデンサ電圧検出部２３と、を備える。
【００６５】
また、直流電源装置１０ａの制御部８ａには、出力電圧検出部２２が検出して出力する負荷１１への出力電圧値及びコンデンサ電圧検出部２３が検出して出力する第２のコンデンサ６ｂの電圧値が入力される。第１のコンデンサ６ａの電圧値は、出力電圧検出部２２の検出値からコンデンサ電圧検出部２３の検出値の差分を取得することで算出することが可能である。そのため、このような構成により第１のコンデンサ６ａに対する電圧値検出部を設けなくてよく、負荷状態検出部２０の面積を小さくすることができる。また、第１のコンデンサ６ａの電圧検出を他の方法としても、本効果を奏することはいうまでもない。
【００６６】
制御部８ａは、出力電圧検出部２２の出力値またはコンデンサ電圧検出部２３の出力値に応じて、第１のスイッチング素子４ａと第２のスイッチング素子４ｂへの出力信号を停止し、保護リレー１８を開放状態とする。
【００６７】
制御部８ａは、例えば、出力電圧検出部２２及びコンデンサ電圧検出部２３からの出力電圧の基準電圧値をしきい値として保持し、このしきい値を超え、または下回るときには第１のスイッチング素子４ａ及び第２のスイッチング素子４ｂへの出力信号を停止し、保護リレー１８を開放するよう制御する。なお、出力電圧の基準電圧値であるしきい値は、例えばスイッチング素子の破壊耐力またはコンデンサの耐電圧により決定される。
【００６８】
このような構成とし、保護リレーを開放するようにすると、直流電源装置１０ａの動作不具合または不安定動作、または第１のスイッチング素子または第２のスイッチング素子の少なくとも一方の誤動作により過大な電圧が発生した場合においても、全波整流モードであれば直流電源装置としては動作することができ、例えば、負荷１１が、空気調和機、ヒートポンプ給湯機、冷蔵庫または冷凍機に用いられる圧縮機モータを駆動するインバータ負荷であれば圧縮機モータを駆動することができ、一時的な応急運転が可能となる。
【００６９】
さらに、図９に示す直流電源装置１０ａの制御部８ａには、電流センサ１４，１５ａ，１５ｂが検出して出力する電流値が入力され、第１のスイッチング素子４ａ及び第２のスイッチング素子４ｂの出力信号を停止し、保護リレー１８を開放する。例えば、電流センサ１４，１５ａ，１５ｂの検出電流の基準電流値をしきい値として保持しておき、このしきい値を超えるときには第１のスイッチング素子４ａ及び第２のスイッチング素子４ｂの出力信号を停止し、保護リレー１８を開放するよう制御する。なお、出力電流の基準電流値であるしきい値は、例えばスイッチング素子の破壊耐力により決定される。
【００７０】
このような構成とすることで、直流電源装置１０ａの動作不具合または不安定動作、または第１のスイッチング素子または第２のスイッチング素子の少なくとも一方の誤動作により過大な電流が発生した場合においても、全波整流モードであれば直流電源装置としては動作することができ、例えば、負荷１１が、空気調和機、ヒートポンプ給湯機、冷蔵庫または冷凍機に用いられる圧縮機モータを駆動するインバータ負荷であれば圧縮機モータを駆動することができ、一時的な応急運転が可能となる。
【００７１】
以上説明したように、本実施の形態の直流電源装置によれば、負荷１１の状態を検出する負荷状態検出部２０として、負荷１１への出力電圧を検出する出力電圧検出部２２を備え、出力電圧検出部２２の検出結果である負荷１１への出力電圧値がしきい値を超え、または下回るときに第１のスイッチング素子４ａ及び第２のスイッチング素子４ｂへの出力信号を停止し、保護リレー１８を開放状態とする。これにより、全波整流モードであれば直流電源装置としては動作することができ、例えば、負荷１１が圧縮機モータを駆動するインバータ負荷である場合に圧縮機モータの応急運転が可能となる。
【００７２】
さらに、各スイッチング素子へ流入する電流を検出する部（電流センサ１５ａ，１５ｂ）またはリアクトル３に流入する電流を検出する電流センサ１４を備え、各スイッチング素子へ流入する電流値がしきい値を超えるときに第１のスイッチング素子４ａ及び第２のスイッチング素子４ｂへの出力信号を停止し、保護リレー１８を開放状態とする。これにより、全波整流モードであれば直流電源装置としては動作することができ、例えば、負荷１１が圧縮機モータを駆動するインバータ負荷である場合に圧縮機モータの応急運転が可能となる。
【００７３】
実施の形態４．
実施の形態１〜３にて説明した直流電源装置は、例えば冷凍サイクル機器に適用することができる。本実施の形態では、実施の形態１〜３の直流電源装置を適用した冷凍サイクル機器の具体的な構成について、図１０を参照して説明する。
【００７４】
図１０は、本発明にかかる冷凍サイクル機器の実施の形態４の一構成例を示す図である。なお、図１０では、直流電源装置として図９の直流電源装置１０ａを適用し、直流電源装置１０ａには負荷１１としてインバータ部３０が接続されている。インバータ部３０には冷凍サイクル部３１が接続されている。
【００７５】
図１０に示す冷凍サイクル機器４０としては、空気調和機、ヒートポンプ給湯機、冷蔵庫及び冷凍機を例示することができる。
【００７６】
冷凍サイクル部３１は、四方弁３２と、内部熱交換器３３と、膨張機構３４と、熱交換器３５と、を冷媒配管３７により接続することで形成されている。圧縮機３６の内部には、冷媒を圧縮する圧縮機構３８と、この圧縮機構３８を動作させる圧縮機モータ３９とが設けられている。
【００７７】
圧縮機モータ３９は、Ｕ相，Ｖ相，Ｗ相の三相の巻線を有する三相モータであり、直流電源装置１０ａの負荷として接続されたインバータ部３０により駆動制御される。
【００７８】
図１０に示す冷凍サイクル機器４０では、実施の形態１〜３にて説明した直流電源装置により得られる効果を享受する。
【００７９】
つまり、各スイッチング素子へ流入する電流を検出する部（電流センサ１５ａ，１５ｂ）またはリアクトル３に流入する電流を検出する電流センサ１４の検出結果から得た電流情報により、過大な電流を検知した場合に、第１のスイッチング素子４ａ及び第２のスイッチング素子４ｂをオフ制御し、保護リレー１８を開放することで、直流電源装置を全波整流モードとし、安定的な動作が可能となる。ただし、出力電圧は半減する。
【００８０】
また、負荷状態検出部２０の検出結果から得た電圧情報により、第１のコンデンサ６ａ及び第２のコンデンサ６ｂの両端の電位にアンバランスが発生しても、第１のスイッチング素子４ａ及び第２のスイッチング素子４ｂをオフ制御し、保護リレー１８を開放することで、直流電源装置を全波整流モードとし、安定的な動作が可能となる。ただし、出力電圧は半減する。
【００８１】
また、全波整流モードから倍電圧モードへの移行に関しても、第１のコンデンサ６ａ及び第２のコンデンサ６ｂの充電動作開始時にオンデューティを０％〜５０％で変化させることで、過大な電流がインバータ部３０に流入することを防止できる。
【００８２】
また、本実施の形態の直流電源装置は全波整流での電圧Ｖ０から倍電圧での電圧２Ｖ０またはそれ以上の電圧を提供でき、様々な冷凍サイクル機器に用いることができるため、汎用性の高い冷凍サイクル機器を得ることができる。
【００８３】
以上説明したように、本実施の形態の冷凍サイクル機器には、実施の形態１〜３にて説明した直流電源装置を適用することができ、実施の形態１〜３において説明した直流電源装置により得られる効果を享受する。
【００８４】
なお、実施の形態１〜３における第１のスイッチング素子４ａ及び第２のスイッチング素子４ｂには、線路インピーダンスに起因する還流電流の経路を確保するため、逆並列に環流ダイオードを備えていてもよい。還流ダイオードを備えることにより、発生した還流電流を消費する経路を確保することができる。
【００８５】
また、実施の形態１〜３における充電部７を構成するスイッチング素子及び逆流防止素子としては、シリコンを材料とするＳｉ系半導体を用いてもよいが、例えば炭化珪素（ＳｉＣ）、窒化ガリウム（ＧａＮ）系材料またはダイヤモンドに代表されるワイドバンドギャップ半導体を用いてもよい。ワイドバンドギャップ半導体によってスイッチング素子及び逆流防止素子を形成すると、耐電圧性及び許容電流密度を高めることができる。そのため、スイッチング素子及び逆流防止素子の小型化が可能であり、これらの素子を用いることで直流電源装置自体の小型化も可能である。
【００８６】
また、ワイドバンドギャップ半導体によってスイッチング素子及び逆流防止素子を形成すると、耐熱性も高めることができる。そのため、ヒートシンクの放熱フィンの小型化及び水冷部の空冷化が可能であり、これにより直流電源装置自体の更なる小型化が可能である。さらに、ワイドバンドギャップ半導体によってスイッチング素子及び逆流防止素子を形成すると、電力損失を低減することができる。そのため、スイッチング素子及び逆流防止素子の高効率化が可能であり、これにより直流電源装置自体の高効率化も可能となる。
【００８７】
なお、スイッチング素子及び逆流防止素子は、これらのうちの１つのみがワイドバンドギャップ半導体によって形成されていてもよく、上記の効果を有する。特に、スイッチング素子及び逆流防止素子のすべてをワイドバンドギャップ半導体によって形成すると、上記の効果を顕著に有することになる。
【００８８】
なお、スイッチング素子としては、パワートランジスタ、パワーＭＯＳＦＥＴ、ＩＧＢＴ、高効率なスイッチング素子として知られているスーパージャンクション構造のＭＯＳＦＥＴ、絶縁ゲート型半導体素子、バイポーラトランジスタのいずれを用いてもよく、同様の効果を得ることができる。
【００８９】
また、制御部８ａは、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）、マイクロコンピュータ（マイコン）の離散システムで構成することが可能であるが、これらに限定されず、アナログ回路やデジタル回路（電気回路素子）によって構成してもよい。
【符号の説明】
【００９０】
１  三相交流電源、２  整流回路、３  リアクトル、４ａ  第１のスイッチング素子、４ｂ  第２のスイッチング素子、５ａ  第１の逆流防止素子、５ｂ  第２の逆流防止素子、６ａ  第１のコンデンサ、６ｂ  第２のコンデンサ、７  充電部、８，８ａ  制御部、９  電源電圧検出部、１０，１０ａ  直流電源装置、１１  負荷、１２ａ〜１２ｄ  端子、１４，１５ａ，１５ｂ  電流センサ、２１  出力電流検出部、１８  保護リレー、２０  負荷状態検出部、２２  出力電圧検出部、２３  コンデンサ電圧検出部、３０  インバータ部、３１  冷凍サイクル部、３２  四方弁、３３  内部熱交換器、３４  膨張機構、３５  熱交換器、３６  圧縮機、３７  冷媒配管、３８  圧縮機構、３９  圧縮機モータ、４０  冷凍サイクル機器。
【図１】
2015063869.tif 000003
【図２】
2015063869.tif 000004
【図３】
2015063869.tif 000005
【図４】
2015063869.tif 000006
【図５】
2015063869.tif 000007
【図６】
2015063869.tif 000008
【図７】
2015063869.tif 000009
【図８】
2015063869.tif 000010
【図９】
2015063869.tif 000011
【図１０】
2015063869.tif 000012
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
三相交流電源からの交流を直流に変換して負荷に供給する直流電源装置であって、
入力側または出力側にリアクトルが接続され、前記三相交流電源からの交流を整流する整流回路と、
前記負荷への出力端子間に直列接続された第１のコンデンサ及び第２のコンデンサと、
前記第１のコンデンサ及び前記第２のコンデンサの一方または双方を選択的に充電する充電手段と、
前記充電手段を制御する制御部と、を備え、
前記充電手段は、
直列接続され、前記三相交流電源のｎ（ｎは自然数）倍の周波数でスイッチングされる第１のスイッチング素子及び第２のスイッチング素子と、
前記第１のコンデンサの充電電荷の前記第１のスイッチング素子への逆流を防止する第１の逆流防止素子と、
前記第２のコンデンサの充電電荷の前記第２のスイッチング素子への逆流を防止する第２の逆流防止素子と、を備え、
前記第１のスイッチング素子と前記第２のスイッチング素子の間と、前記第１のコンデンサと前記第２のコンデンサの間とを接続した直流電源装置。
【請求項２】
前記第１のコンデンサ及び前記第２のコンデンサへの充電開始時に、前記第１のスイッチング素子及び前記第２のスイッチング素子のオンデューティを小さくして前記第１のコンデンサ及び前記第２のコンデンサへの充電ピーク電流を前記充電手段または前記整流回路の許容値以下とすることで充電電流を抑制し、その後定常時のオンデューティに達するまでに予め設定された時間を経過して徐々に前記第１のスイッチング素子及び前記第２のスイッチング素子のオンデューティを大きくする請求項１に記載の直流電源装置。
【請求項３】
前記第１のスイッチング素子、前記第２のスイッチング素子、前記第１の逆流防止素子及び前記第２の逆流防止素子の少なくとも１つがワイドバンドギャップ半導体により形成されている請求項２に記載の直流電源装置。
【請求項４】
前記ワイドバンドギャップ半導体は、炭化珪素、窒化ガリウム系材料またはダイヤモンドである請求項３に記載の直流電源装置。
【請求項５】
電源電圧検出手段をさらに備え、
前記制御部は動作モードを制御し、
前記動作モードは、
前記第１のスイッチング素子及び前記第２のスイッチング素子を常時オフとする全波整流モードと、
前記第１のスイッチング素子及び前記第２のスイッチング素子を充電周波数で交互にオンする昇圧モードと、を有し、
前記昇圧モードでは、前記第１のスイッチング素子及び前記第２のスイッチング素子のオンデューティを変化させることで出力電圧を制御する請求項１から請求項４のいずれか一項に記載の直流電源装置。
【請求項６】
前記制御部は、
前記全波整流モードと前記昇圧モードの切り替え時にはオンデューティを小さくし、
その後前記第１のスイッチング素子及び前記第２のスイッチング素子のオン時間を徐々に変化させて、前記昇圧モードへの移行を制御する請求項５に記載の直流電源装置。
【請求項７】
前記全波整流モードと、前記第１のスイッチング素子及び前記第２のスイッチング素子の双方が同時にオンしている期間を有する動作モードと、を繰り返すことで前記リアクトルにエネルギーを蓄積して出力電圧を上昇させ、
前記出力電圧がしきい値以上となった後に前記昇圧モードに移行する請求項５に記載の直流電源装置。
【請求項８】
前記第１のスイッチング素子及び前記第２のスイッチング素子が逆並列の還流ダイオードを備える請求項５に記載の直流電源装置。
【請求項９】
直列接続された前記第１のコンデンサ及び前記第２のコンデンサの電圧と等しい前記負荷への出力電圧を検出する出力電圧検出手段と、
前記第１のコンデンサ及び前記第２のコンデンサの一方の電圧を検出するコンデンサ電圧検出手段と、を備え、
前記制御部は、前記出力電圧検出手段の検出値と前記コンデンサ電圧検出手段の検出値の差分から前記第１のコンデンサ及び前記第２のコンデンサの他方の電圧を算出する請求項５に記載の直流電源装置。
【請求項１０】
前記第１のスイッチング素子と前記第２のスイッチング素子の間と、前記第１のコンデンサと前記第２のコンデンサの間とに挿入された保護リレーを備える請求項１から請求項４のいずれか一項に記載の直流電源装置。
【請求項１１】
前記制御部は、前記第１のスイッチング素子及び前記第２のスイッチング素子に流入する電流または前記リアクトルに流入する電流が設定しきい値を超えると、前記第１のスイッチング素子及び前記第２のスイッチング素子へのスイッチング信号の出力を停止し、前記保護リレーを開放する信号を出力する請求項１０に記載の直流電源装置。
【請求項１２】
前記負荷の状態を検出する負荷状態検出手段を備え、
前記制御部は、前記負荷状態検出手段にて検出して出力した信号の検出値が設定しきい値を超えると、前記第１のスイッチング素子及び前記第２のスイッチング素子へのスイッチング信号出力を停止し、前記保護リレーを開放する信号を出力する請求項１０に記載の直流電源装置。
【請求項１３】
請求項１から請求項１２のいずれか一項に記載の直流電源装置を備える冷凍サイクル機器。
【請求項１４】
前記負荷が圧縮機モータを駆動するインバータ部を備える請求項１３に記載の冷凍サイクル機器。
【手続補正２】
【補正対象書類名】明細書
【補正対象項目名】０００６
【補正方法】変更
【補正の内容】
【０００６】
上述した課題を解決し、目的を達成するために、本発明は、三相交流電源からの交流を直流に変換して負荷に供給する直流電源装置であって、入力側または出力側にリアクトルが接続され、前記三相交流電源からの交流を整流する整流回路と、前記負荷への出力端子間に直列接続された第１のコンデンサ及び第２のコンデンサと、前記第１のコンデンサ及び前記第２のコンデンサの一方または双方を選択的に充電する充電手段と、前記充電手段を制御する制御部と、を備え、前記充電手段は、直列接続され、前記三相交流電源のｎ（ｎは自然数）倍の周波数でスイッチングされる第１のスイッチング素子及び第２のスイッチング素子と、前記第１のコンデンサの充電電荷の前記第１のスイッチング素子への逆流を防止する第１の逆流防止素子と、前記第２のコンデンサの充電電荷の前記第２のスイッチング素子への逆流を防止する第２の逆流防止素子と、を備え、前記第１のスイッチング素子と前記第２のスイッチング素子の間と、前記第１のコンデンサと前記第２のコンデンサの間とを接続する。
【手続補正３】
【補正対象書類名】明細書
【補正対象項目名】００５６
【補正方法】変更
【補正の内容】
【００５６】
充電部７は、具体的には、第２のコンデンサ６ｂの充電を制御する第１のスイッチング素子４ａと、第１のコンデンサ６ａの充電を制御する第２のスイッチング素子４ｂと、第１のコンデンサ６ａの充電電荷の第１のスイッチング素子４ａへの逆流を防止する第１の逆流防止素子５ａと、第２のコンデンサ６ｂの充電電荷の第２のスイッチング素子４ｂへの逆流を防止する第２の逆流防止素子５ｂと、を備える。第１のスイッチング素子４ａと第２のスイッチング素子４ｂは交互にオンされる。
【手続補正書】
【提出日】平成28年4月19日(2016.4.19)
【手続補正１】
【補正対象書類名】明細書
【補正対象項目名】００２９
【補正方法】変更
【補正の内容】
【００２９】
図３（Ｂ−ｂ）に示す昇圧モードｂでは、第１のスイッチング素子４ａ及び第２のスイッチング素子４ｂの双方が同時にオフする「同時オフ期間」が存在する。図３（Ｂ−ｂ）に示す昇圧モードｂにおける動作を図２の符号で表すと、（Ｃ）から（Ａ）へ、（Ａ）から（Ｂ）へ、（Ｂ）から（Ａ）へ、（Ａ）から（Ｃ）への遷移を周期的に繰り返すことになる。このときの出力電圧は、図３（Ａ）に示す全波整流モードにおける出力電圧Ｖ０と、図３（Ｂ−ａ）に示す昇圧モードａ（倍電圧モード）における出力電圧２Ｖ０との間の電圧値となる。
【手続補正２】
【補正対象書類名】明細書
【補正対象項目名】００３７
【補正方法】変更
【補正の内容】
【００３７】
上記比較例と対比する本発明の実施例を図４に示す。図４は、本発明を適用した直流電源装置１０におけるスイッチングパターンと、コンバータ出力直流電圧のシミュレーション波形の一例と、三相交流の各相電流のシミュレーション波形の一例と、を示す実施例の図である。図４（ａ）は母線電圧のシミュレーション波形の一例を示し、図４（ｂ）は三相交流の各相（ｒ相、s相、t相）の電流のシミュレーション波形の一例を示し、図４（ｃ）は第１のスイッチング素子４ａのスイッチングパターンを示し、図４（ｄ）は第２のスイッチング素子４ｂのスイッチングパターンを示す。なお、図４（ａ）と図５（ａ）、図４（ｂ）と図５（ｂ）では縦軸のスケールが異なることを注記する。
【手続補正３】
【補正対象書類名】明細書
【補正対象項目名】００６３
【補正方法】変更
【補正の内容】
【００６３】
図９に示す直流電源装置１０ａは、図１の直流電源装置１０に、負荷１１の状態を検出する負荷状態検出部２０と、リアクトル３に流入する電流を検出する電流センサ１４と、第１のスイッチング素子４ａに流れる電流を検出する電流センサ１５ａと、第２のスイッチング素子４ｂに流れる電流を検出する電流センサ１５ｂと、第１のスイッチング素子４ａと第２のスイッチング素子４ｂとの接続点から第１のコンデンサ６ａと第２のコンデンサ６ｂとの接続点の間に挿入された保護リレー１８（開閉手段）とを加えた構成である。
【手続補正４】
【補正対象書類名】図面
【補正対象項目名】図３
【補正方法】変更
【補正の内容】
【図３】
2015063869.tif 000013
【国際調査報告】
2015063869.tif 000014
2015063869.tif 000015
2015063869.tif 000016
2015063869.tif 000017